(57)【要約】【課題】フットレストの前後方向における上下の角度を、着座者の足の角度になじませる。【解決手段】フットレスト１９を支承する部材１５の上側に、弾性部材１８を介してフットレスト１９を備え、該フットレスト１９が弾性部材１８を支点とし、かつ、弾性部材１８の弾性力に抗して前後方向において上下に回動できるようにする。前記弾性部材１８を、防振用のゴムで形成する。前記フットレスト１９を支承する部材１５を、椅子のシート１０に対して前後方向に移動可能に備える。【選択図】          図４
2004208802.tif 000002
【特許請求の範囲】
【請求項１】
フットレストを支承する部材の上側に、弾性部材を介してフットレストを備え、該フットレストが弾性部材を支点とし、かつ、弾性部材の弾性力に抗して前後方向において上下に回動できるようにしたことを特徴とする椅子におけるフットレストの支持装置。
【請求項２】
前記弾性部材を、防振用のゴムで形成した請求項１記載の椅子におけるフットレストの支持装置。
【請求項３】
前記フットレストを支承する部材を、椅子のシートに対して前後方向に移動可能に備えた請求項１又は２記載の椅子におけるフットレストの支持装置。
【請求項４】
前記フットレストを支承する部材をシートの前方へ付勢する付勢手段と、前記フットレストにおける前記弾性部材より後方の位置に設けたストッパと、前記シートの下面に設けた係止爪とを有し、フットレストの収納時には前記ストッパが前記係止爪に係止して収納状態が保持され、フットレストの前部を下圧することにより前記ストッパが上動して係止爪より外れて、前記フットレストを支承する部材が前記付勢手段により前進するようにした請求項３記載の椅子におけるフットレストの支持装置。
【発明の詳細な説明】
【０００１】
【発明の属する技術分野】
本発明は椅子におけるフットレストの支持装置に関する。
【０００２】
【従来の技術】
従来、椅子の前側に備えられて、着座者の足を乗せるフットレストとして、フットレストを支承する部材にフットレストを、前後方向における上下の角度を一定に設定して備えるものが一般的である。
【０００３】
【発明が解決しようとする課題】
前記従来の構造のように、フットレストを、前後方向における上下の角度を一定にして備えたものにおいては、着座者によっては、フットレストの角度が着座者の足の角度になじまない問題がある。
【０００４】
そこで本発明は、前記の問題を解決する椅子におけるフットレストの支持装置を提供することを目的とするものである。
【０００５】
【課題を解決するための手段】
前記の課題を解決するために、請求項１記載の発明は、フットレストを支承する部材の上側に、弾性部材を介してフットレストを備え、該フットレストが弾性部材を支点とし、かつ、弾性部材の弾性力に抗して前後方向において上下に回動できるようにしたことを特徴とするものである。
【０００６】
本発明においては、弾性部材の弾性作用によって、フットレストの前後方向における上下の角度を、これに乗せた足の角度になじませることができる。
【０００７】
請求項２記載の発明は、前記請求項１記載の発明において、前記弾性部材を、防振用のゴムで形成したものである。
【０００８】
本発明のように弾性部材に防振用ゴムを使用することにより、その弾性が前記のようなフットレストと足とのなじみを一層良くする。
【０００９】
請求項３記載の発明は、前記請求項１又は２記載の発明において、前記フットレストを支承する部材を、椅子のシートに対して前後方向に移動可能に備えたものである。
【００１０】
本発明においては、フットレストの不使用時にはフットレストをシートの下部に収納し、使用時にはフットレストをシートの前方へ突出させて使用することができる。
【００１１】
請求項４記載の発明は、前記請求項３記載の発明において、前記フットレストを支承する部材をシートの前方へ付勢する付勢手段と、前記フットレストにおける前記弾性部材より後方の位置に設けたストッパと、前記シートの下面に設けた係止爪とを有し、フットレストの収納時には前記ストッパが前記係止爪に係止して収納状態が保持され、フットレストの前部を下圧することにより前記ストッパが上動して係止爪より外れて、前記フットレストを支承する部材が前記付勢手段により前進するようにしたものである。
【００１２】
本発明においては、ストッパと係止爪からなるロック装置を解除することにより、付勢手段の付勢力によってフットレストが自動的に突出する。
【００１３】
【発明の実施の形態】
本発明の好ましい実施の形態を図１乃至図９に示す実施例に基づいて説明する。
【００１４】
椅子１の枠体を構成する左右の側枠２には脚部３と肘かけ４が固設され、また、前記両側枠２の後部には背受け枠５が起立状態で固設されている。
【００１５】
前記左右の側枠２の内側には、図３に示すように夫々シート用の案内部材（これを第１の案内部材とする）６が側枠２にビス７により固設されている。図２において第１の案内部材６は図の手前側の図示しない側枠側に固着されている。該第１の案内部材６は椅子１の前後方向に配置され、該第１の案内部材６内には前後方向の案内穴６ａが貫通形成されている。該第１の案内穴６ａは、前側が若干上昇するように傾斜している。該前上がりの傾斜角θ１は、所望に設定するものであるが、実施に際しては水平面に対して約５°に設定した。
【００１６】
前記第１の案内部材６の案内穴６ａ内にはシート用のロッド（これを第１のロッドとする）８が前後方向に摺動可能に貫通して備えられており、その前後端にシート保持部材９が固着されている。すなわち、シート保持部材９を、水平方向のシート取付片９ａと、その前後端に垂設したロッド取付片９ｂ，９ｃで形成し、そのロッド取付片９ｂ，９ｃを前記第１のロッド８の前後端に固着している。
【００１７】
なお、前記案内穴６ａに、モリブデンのメッキを施した環状のブッシュや油を含浸させた環状のゴム等の支承体を配置し、この支承体内に前記ロッド８を挿通して、その支承体の潤滑性を利用して第１のロッド８がスムーズに摺動し、かつ、その第１のロッド８の任意な位置での停止を確保できるようになっている。
【００１８】
前記シート保持部材９のシート取付片９ａの上面にはシート１０が載置固着されている。該シート１０の上面も前記の傾斜角θ１と同等に形成されている。該シート１０と前記シート保持部材９は、椅子１の側枠２と絶縁されており、側枠２に対して前後方向に移動可能に備えられている。すなわち、シート１０とシート保持部材９は、前記第１のロッド８を介して前記案内部材６に案内されて前後方向（Ａ−Ｂ方向）に移動できるようになっている。
【００１９】
前記シート１０の後端には背もたれ１１が、該背もたれ１１の下端をヒンジ１２により連結して備えられており、該背もたれ１１がヒンジ１２を中心として前後方向に回転するようになっている。
【００２０】
前記背受け枠５は、その前面５ａを、上方が若干後方へ反った略垂直面にして略起立状態に形成されており、この前面５ａにより、前記背もたれ１１の後面を、略垂直に、上下に摺動可能に支承している。また、背もたれ１１は、背受け枠５の前側において前後方向に移動可能に備えられている。
【００２１】
更に、背受け枠５の上端５ｂは、シート１０を後退して背もたれ１１を起立状態にした場合の通常の形態時において、その背もたれ１１の上端１１ａよりも高い位置に設定されている。
【００２２】
また、前記背もたれ１１の上部にはヘッドレスト１３が、その下端を背もたれ１１の上端に回転部２５で前後方向に回転可能に連結して備えられている。また、該ヘッドレスト１３も前記背受け枠５の前面５ａに沿って上下方向に摺動可能に支承されている。
【００２３】
また、前記背受け枠５の左右側には、前記背もたれ１１とヘッドレスト１３の左右側面を摺動可能に支承する側板５ｃが、背受け枠５に固着して設けられている。
【００２４】
次にフットレスト部について説明する。
前記シート１０の下面の左右にはフットレスト用の案内部材（これを第２の案内部材とする）１４が固設されている。該第２の案内部材１４内には前後方向に案内穴１４ａ（図４参照）が貫通形成されている。該案内穴１４ａは前側が若干上昇するように傾斜している。該前上がり傾斜角θ２は所望に設定するものであるが、実施に際しては水平面に対して前記シート面よりも大きく設定されている。
【００２５】
前記第２の案内部材１４の案内穴１４ａ内にはフットレストを支承する部材であるロッド（これを第２のロッドとする）１５が摺動可能に貫通して備えられている。したがって、この第２のロッド１５はシート１０の下部の左右に設けられている。
【００２６】
また、前記第２の案内部材１４と前記第２のロッド１５の後部間には、付勢手段である引張りスプリング１６が架設されており、該引張りスプリング１６によって第２のロッド１５を常時前方へ付勢している。該付勢手段は引張りスプリング以外のものであってもよい。
【００２７】
前記左右の第２のロッド１５における前部間には支板１７が架設されて固設されている。該支板１７の上部には弾性部材１８を介してフットレスト１９が設けられている。
【００２８】
前記弾性部材１８は、図６に示すように、ゴムなどの弾性体１８ａの一端面に、雄ねじ１８ｂを突設した取付板１８ｃを接着し、弾性体１８ａの他端面に、雄ねじ１８ｄを突設した取付板１８ｅを接着して形成されている。該弾性体１８ａは、防振ゴムとして一般に使用されているゴムや、その他、コイルスプリングなどのバネ材でもよい。
【００２９】
そして、前記弾性部材１８の雄ねじ１８ｂを図４に示すように前記支板１７に上方から挿通して、該雄ねじ１８ｂにナット２０を螺着し、また、雄ねじ１８ｄに前記フットレスト１９の基材１９ａに形成した孔１９ｂを嵌合して雄ねじ１８ｄにナット２１を螺着し、弾性部材１８を支板１７とフットレスト１９間に介在している。
【００３０】
前記弾性部材１８は、支板１７の左右（図４の紙面の表裏方向）において計２個配設されている。
【００３１】
前記フットレスト１９は、前記基板１９ａの上面と前面にクッション材１９ｃで被覆して形成されている。
【００３２】
前記の構成により、フットレスト１９は、弾性部材１８により常時は第２のロッド１５と略平行する状態に維持され、フットレスト１９の前部あるいは後部に上方から荷重をかけると、弾性部材１８を支点として、フットレスト１９の前後が上下方向（図４の矢印方向）に弾性部材１８の付勢力に抗して回動するようになっている。
【００３３】
前記フットレスト１９の基材１９ａの後部下面には、図５に示すようにストッパ２２が固着されている。また、前記第２の案内部材１４には、係止爪２３が前方へ突出して固着されており、該係止爪２３の前方上面は、先方が下降するテーパ状の案内面２３ａに形成され、該案内面２３ａの後端は、略垂直な係止面２３ｂに形成されている。そして、常態においては、図５に示すように、係止面２３ｂとストッパ２２の前面が対向するようになっている。このストッパ２２と係止爪２３によりロック装置２４が構成されている。
【００３４】
次に使用状態について説明する。
図１及び図２はシート１０を後退させ、フットレスト１９をシート１０の下部に収納した状態で通常に着席する状態である。
【００３５】
この状態では、図２に示すように、背もたれ１１及びヘッドレスト１３が背受け枠５の前面５ａに沿った略垂直姿勢におかれ、また、フットレスト１９も邪魔にならないようにシート１０の下に収納されている。
【００３６】
この図２の状態から椅子１をリクライニング状態にする場合には、着座状態でシート１０に前方への移動力を作用させると、シート１０側に設けた第１のロッド８が第１の案内部材６に案内されて前進し、シート１０が図７に示すように、当初に設定した角度θ１を保ったまま前進移動する。このシート１０の前進により、該シート１０の後端にヒンジ１２により連結された背もたれ１１の下端部が前方へ引き出される。これにより、図７に示すように背もたれ１１は、その上部が背受け枠５の前面５ａを摺動して下降するとともにその下部が前方へ移動し、図７に示すように、上方が後方へ傾斜した姿勢になる。また、ヘッドレスト１３は背受け枠５の前面５ａに沿って下降する。
【００３７】
したがって、背もたれ１１が、図２の姿勢より大きく後傾したリクライニング状態になる。また、この際、ヘッドレスト１３の角度は略垂直状態で変らないため、背もたれ１１が倒れたより寛いだ姿勢でも、ヘッドレスト１３によって顔の角度を変えることなく、テレビを観賞したり、話し相手と顔を見ながら会話ができる。
【００３８】
また、このリクライニング形態への変形は、背もたれ１１の下部を前進させて背もたれ１１を傾斜させるため、背もたれ１１は背受け枠５よりも後方へ突出しない。したがって、椅子１を、図２に示す通常の姿勢状態で部屋の壁面３０に近接して配置しても、図７に示すように背もたれ１１が部屋の壁面３０に当たることがない。そのため、椅子を壁面との間に大きな間隙を設ける必要がない。したがって、椅子１を壁面３０に近接させて部屋を有効に活用することができる。
【００３９】
次にフットレスト１９について説明する。
図２のようにシート１０が後退した状態であって、フットレスト１９を収納した状態では、図５に示すように、フットレスト１９の基材１９ａに設けたストッパ２２が係止爪２３の係止面２３ｂに係止されて、フットレスト１９の収納状態が保持されている。
【００４０】
また、このフットレスト１９の収納状態でシート１０を前記図７に示すように前進させた場合には、フットレスト１９は収納状態のままでシート１０とともに前進する。
【００４１】
次に、フットレスト１９を使用する場合には、図５の状態において、フットレスト１９の前部を手動あるいは足によって下方（Ｄ側）へ押圧する。これによりフットレスト１９が弾性部材１８を変形させて該弾性部材１８を中心としてフットレスト１９の前部がＤ方向へ回動するとともに後部が上方へ回動し、ストッパ２２が係止爪２３の係止面２３ｂより上方へ離脱する。この離脱により、引張りスプリング１６の付勢力によって図８に示すように第２のロッド１５が前方（Ａ方向）へ突出し、該第２のロッド１５の先部に設けられたフットレスト１９がシート１０より前方へ突出する。これにより、着座者は足を伸ばしてフットレスト１９上に載置することができる。
【００４２】
また、前記図７に示すように、シート１０を前進させたリクライニング状態において、収納されたフットレスト１９を使用する場合には、そのフットレスト１９の前部を前記と同様に押圧することにより、前記のようにストッパ２２が係止爪２３より離間し、前記と同様に引張りスプリング１６の付勢力によってフットレスト１９が前方へ突出する。これにより、図９に示すように、前進したシート１０より更に前方へフットレスト１９が突出したリクライニング状態になる。
【００４３】
また、フットレスト１９の使用時には、弾性部材１８の弾性作用によって、フットレスト１９の上下方向の角度を、このフットレスト１９上に乗せた足の角度になじませることができる。
【００４４】
次に、前記のように突出したフットレスト１９をシート１０の下部に収納する場合には、図８又は図９の状態から、フットレスト１９を手動あるいは足により、引張りスプリング１６の付勢力に抗して後方（Ｂ方向）へ移動させる。これにより、ストッパ２２が係止爪２３のテーパ状の案内面２３ａに当接し、その後は、基材１９ａが弾性部材１８を変形させながら回動してストッパ２２が案内面２３ａに沿って上動し、ストッパ２２が案内面２３ａを乗り越えると、弾性部材１８の復元力によって基材１９ａが復帰してストッパ２２が係止面２３ｂの係止面２３ｂ側に下降し、ストッパ２２が係止面２３ｂに係止する。これにより、フットレスト１９の収納状態が保持される。したがって、前記弾性部材１８は、その弾性によってフットレスト１９を着座者の足になじませる作用と、フットレスト１９の収納状態をロックする作用と、フットレスト１９を引き出す場合に変形して前記のロックを解除できるようにする作用を兼用する。
【００４５】
【発明の効果】
以上のようであるから、請求項１記載の発明によれば、弾性部材の弾性作用によって、フットレストの前後方向における上下の角度を、着座者の足に対応して、その足の角度になじませることができる。
【００４６】
請求項２記載の発明によれば、更に、前記のフットレストの足とのなじみを高めることができる。
【００４７】
請求項３記載の発明によれば、更に、フットレストの不使用時にはフットレストをシートの下部に収納し、使用時にはフットレストをシートの前方へ突出させて使用することができる。
【００４８】
請求項４記載の発明によれば、更に、フットレストを収納状態から突出させる操作が容易に行える。
【図面の簡単な説明】
【図１】本発明の実施例を示す椅子の正面図。
【図２】図１におけるＥ−Ｅ線断面図で、通常形態を示す図。
【図３】図２におけるＦ−Ｆ線断面図。
【図４】図２におけるフットレスト部の拡大側断面図。
【図５】図２のフットレスト部におけるロック装置を示す側断面図。
【図６】図４における弾性部材を示すもので、（ａ）は平面図、（ｂ）は側面図、（ｃ）は側断面図。
【図７】図２の状態からシートを前進させたリクライニング状態を示す側断面図。
【図８】図２の状態でフットレストを突出させた状態の側断面図。
【図９】図７の状態でフットレストを突出させた状態の側断面図。
【符号の説明】
１    椅子
２    側枠（枠体）
５    背受け枠
６，１４    案内部材
８，１５    ロッド
１０  シート
１１  背もたれ
１６  付勢手段
１８  弾性部材
１９  フットレスト
２２  ストッパ
２３  係止爪
２４  ロック装置
【図１】
2004208802.tif 000003
【図２】
2004208802.tif 000004
【図３】
2004208802.tif 000005
【図４】
2004208802.tif 000006
【図５】
2004208802.tif 000007
【図６】
2004208802.tif 000008
【図７】
2004208802.tif 000009
【図８】
2004208802.tif 000010
【図９】
2004208802.tif 000011